(57)【特許請求の範囲】
【請求項１】
商品サンプルが展示される商品サンプル展示部の一部に、区画部材によって区画形成される選択可能商品展示部と、
展示される商品サンプルを前記選択可能商品展示部に対して移動可能とする回転可能な円板と、
この円板を所定角度ずつ回転させる円板回転手段と、
前記円板の商品サンプル展示部に対応する表面周縁側の領域に、前記円板を所定角度毎に１グループずつとして等分割し、その分割した各所定角度部分の円周方向の同じ位置にグループ毎に分けて商品サンプルを保持する商品サンプル保持部と、
前記選択可能商品展示部に展示される商品サンプル保持部の商品サンプルの位置と対応して設けられ、商品の購入選択を行なう複数の選択ボタンと、
前記円板が回転することによって、前記選択可能商品展示部に位置していた所定の商品サンプル保持部を選択可能商品展示部から外すとともに、隣接していた別の商品サンプル保持部を選択可能商品展示部に入れ替え移動させて前記選択ボタンで選択可能とする選択可能商品変更手段と、
前記選択ボタンが選択操作されたときにその選択ボタンに対応する商品サンプルの商品を販売させる制御部とを備え、
前記商品サンプル展示部は、前記選択可能商品展示部に展示される商品サンプル保持部とともに前記選択可能商品展示部に移動可能とする他の商品サンプル保持部も展示可能とする
ことを特徴とする自動販売機。
【請求項２】
商品サンプルが展示される商品サンプル展示部の一部に、区画部材によって区画形成される選択可能商品展示部と、
展示される商品サンプルを前記選択可能商品展示部に対して移動可能とする無端状の回動可能な帯状体と、
この帯状体を所定範囲ずつ回動させる帯状体回動手段と、
前記帯状体を回動方向の前記所定範囲毎に１グループずつとして等分割し、その分割した各所定範囲部分の同じ位置に各グループの商品サンプルを保持する商品サンプル保持部と、
前記選択可能商品展示部に展示される商品サンプル保持部の商品サンプルの位置と対応して設けられ、商品の購入選択を行なう複数の選択ボタンと、
前記帯状体が回動することによって、前記選択可能商品展示部に位置していた所定の商品サンプル保持部を選択可能商品展示部から外すとともに、隣接していた別の商品サンプル保持部を選択可能商品展示部に入れ替え移動させて前記選択ボタンで選択可能とする選択可能商品変更手段と、
前記選択ボタンが選択操作されたときにその選択ボタンに対応する商品サンプルの商品を販売させる制御部とを備え、
前記商品サンプル展示部は、前記選択可能商品展示部に展示される商品サンプル保持部とともに選択可能商品展示部に移動可能とする他の商品サンプル保持部も展示可能とする
ことを特徴とする自動販売機。
【請求項３】
円板の回転位置を検知する回転位置検知手段を有し、
制御部は、待機時に前記円板の回転位置が定位置にあるか判断し、定位置にない場合には、所定のグループの商品サンプル保持部が選択可能商品展示部に位置するように円板を回転させる
ことを特徴とする請求項１記載の自動販売機。
【請求項４】
商品サンプル展示部に設けられ、前記選択可能商品展示部に展示されるグループの商品サンプルを電照し、他の商品サンプルについては選択可能展示部に比べて明るさが弱い状態で電照する電照装置を具備している
ことを特徴とする請求項１ないし３いずれか記載の自動販売機。
【発明の詳細な説明】
【０００１】
【発明の属する技術分野】
本発明は、商品サンプル展示部に展示された商品サンプルの中から選択された商品を販売する自動販売機に関する。
【０００２】
【従来の技術】
一般的に、自動販売機は、機体前面上部に商品サンプル展示部が設けられ、その商品サンプル展示部に商品のサンプルが展示されるとともに、展示されているサンプルに対応して選択ボタンが設けられている。各選択ボタンには、販売可能状態を示すための販売可能ランプや売り切れ状態を示す売切表示ランプが内蔵されている。
【０００３】
また、前述した様に商品サンプルに対応しただけの選択ボタンを設けたタイプの自動販売機では、商品の数が多くなると選択ボタンの数も多くなることから、選択ボタンの数を減らすことを目的として、例えば、特開平６−１２４３８１号公報に示されている自動販売機が提案されている。
【０００４】
この自動販売機では、選択表示ランプを内蔵した商品サンプルを縦横整列状態に並べて展示し、上下左右の矢印押しボタンを操作して商品サンプルの選択表示ランプを順次点灯させることによって商品を選択し、購入希望の商品の選択表示ランプが点灯している状態で販売ボタンを押すことによって、商品購入の選択ができるようになっている。
【０００５】
【発明が解決しようとする課題】
近年、煙草や清涼飲料水といった商品は種類が非常に多くなっており、自動販売機で販売する種類も５０種、６０種といったように非常に多くなってきている。
【０００６】
とはいうものの、実際に購入される商品には偏りがあり、特に煙草ではよく売れる商品いわゆる「売れすじ商品」は数種類だけで、その「売れすじ商品」が全売上げの７０〜８０パーセントを占めているのが実状である。
【０００７】
一方、自動販売機の商品サンプル展示部は通常蛍光灯等によって電照されているが、商品の種類が多くなれば商品サンプル展示部も広くなり、その広い範囲すべてを均等に電照していたので蛍光灯の数もおのずと増え、電力消費量が増加するといった問題が生じる。特に、全売上げの７０〜８０パーセントを占める「売れすじ商品」が全種類の１０パーセント以下に集中しているにも拘わらず、「売れすじ商品」以外の他の商品の種類が増えたために、電力消費量が増加するという効率の悪さの問題がある。
【０００８】
また、商品の種類が多くなれば選択ボタンの数も同様に多くなり、コストアップにつながるとともに、販売可能ランプや売り切れ表示ランプが全ての商品に対して同じ様に点灯するので、殆ど販売機会のない商品についても販売機会の多い商品と同様に電力を消費することになり効率が悪いという問題がある。
【０００９】
また、特開平６−１２４３８１号公報に示されている自動販売機では、選択ボタンの数を減らして、コスト削減を図っているものの、商品の購入の都度矢印押しボタンを操作して商品を選択しなければならず、従来の商品サンプルと選択ボタンが１対１に対応しているものに比べて操作性が悪いという問題がある。
【００１０】
そこで、本発明は、上記問題点に艦みなされたもので、多種類の商品の販売が可能でしかも販売機会の多い売れすじ商品については従来と同様の操作性の良さを残したまま、コスト削減と節電を図ることを目的とした自動販売機を提供することを目的とする。
【００１１】
【課題を解決するための手段】
請求項１記載の自動販売機は、商品サンプルが展示される商品サンプル展示部の一部に、区画部材によって区画形成される選択可能商品展示部と、展示される商品サンプルを前記選択可能商品展示部に対して移動可能とする回転可能な円板と、この円板を所定角度ずつ回転させる円板回転手段と、前記円板の商品サンプル展示部に対応する表面周縁側の領域に、前記円板を所定角度毎に１グループずつとして等分割し、その分割した各所定角度部分の円周方向の同じ位置にグループ毎に分けて商品サンプルを保持する商品サンプル保持部と、前記選択可能商品展示部に展示される商品サンプル保持部の商品サンプルの位置と対応して設けられ、商品の購入選択を行なう複数の選択ボタンと、前記円板が回転することによって、前記選択可能商品展示部に位置していた所定の商品サンプル保持部を選択可能商品展示部から外すとともに、隣接していた別の商品サンプル保持部を選択可能商品展示部に入れ替え移動させて前記選択ボタンで選択可能とする選択可能商品変更手段と、前記選択ボタンが選択操作されたときにその選択ボタンに対応する商品サンプルの商品を販売させる制御部とを備え、前記商品サンプル展示部は、前記選択可能商品展示部に展示される商品サンプル保持部とともに前記選択可能商品展示部に移動可能とする他の商品サンプル保持部も展示可能とするものである。
【００１２】
選択可能商品展示部に展示されるグループに購入希望の商品サンプルがあれば、その商品サンプルに対応する選択ボタンを操作することにより、購入希望の商品が販売される。また、選択可能商品展示部に展示されるグループに購入希望の商品サンプルがなければ、選択可能商品変更手段により購入希望の商品サンプルを含むグループを選択可能商品展示部に移動させて、商品サンプルに対応する選択ボタンを操作することにより、購入希望の商品が販売される。
【００１３】
多種類の商品サンプルを選択可能商品展示部に展示可能とする複数のグループに分け、それら各グループを選択可能商品展示部に対して移動可能に展示し、この選択可能商品展示部に展示されるグループの商品サンプルを選択ボタンで選択できるようにしたことにより、多種類の商品の販売が可能でありながら、選択ボタンの数を低減するとともに、少なくとも選択可能商品展示部の商品サンプルを電照するだけで済むようにし、コスト削減と節電を図る。しかも、販売機会の多い売れすじ商品を同じグループ内に配置すれば、そのグループが選択可能商品展示部に展示される機会がほとんどであるため、販売機会の多い売れすじ商品については従来と同様の購入操作性の良さが得られる。
【００１４】
円板を所定角度ずつ回転させることにより、円板の所定角度毎に分割された各グループの商品サンプルを選択可能商品展示部に移動させて選択可能とする。この構成により、商品サンプルが保持された円板が回転する態様から自動販売機としての商品性が向上する。
【００１５】
請求項２記載の自動販売機は、商品サンプルが展示される商品サンプル展示部の一部に、区画部材によって区画形成される選択可能商品展示部と、展示される商品サンプルを前記選択可能商品展示部に対して移動可能とする無端状の回動可能な帯状体と、この帯状体を所定範囲ずつ回動させる帯状体回動手段と、前記帯状体を回動方向の前記所定範囲毎に１グループずつとして等分割し、その分割した各所定範囲部分の同じ位置に各グループの商品サンプルを保持する商品サンプル保持部と、前記選択可能商品展示部に展示される商品サンプル保持部の商品サンプルの位置と対応して設けられ、商品の購入選択を行なう複数の選択ボタンと、前記帯状体が回動することによって、前記選択可能商品展示部に位置していた所定の商品サンプル保持部を選択可能商品展示部から外すとともに、隣接していた別の商品サンプル保持部を選択可能商品展示部に入れ替え移動させて前記選択ボタンで選択可能とする選択可能商品変更手段と、前記選択ボタンが選択操作されたときにその選択ボタンに対応する商品サンプルの商品を販売させる制御部とを備え、前記商品サンプル展示部は、前記選択可能商品展示部に展示される商品サンプル保持部とともに選択可能商品展示部に移動可能とする他の商品サンプル保持部も展示可能とするものである。
【００１６】
帯状体を回動させることにより、帯状体の回動方向に所定範囲毎に分割された各グループの商品サンプルを選択可能商品展示部に移動させて選択可能とする。この構成により、多種類の商品の販売が可能でありながら自動販売機を小形に構成する。
【００１７】
請求項３記載の自動販売機は、請求項１記載の自動販売機において、円板の回転位置を検知する回転位置検知手段を有し、制御部は、待機時に前記円板の回転位置が定位置にあるか判断し、定位置にない場合には、所定のグループの商品サンプル保持部が選択可能商品展示部に位置するように円板を回転させるものである。
【００１８】
請求項４記載の自動販売機は、請求項１ないし３いずれか記載の自動販売機において、商品サンプル展示部に設けられ、前記選択可能商品展示部に展示されるグループの商品サンプルを電照し、他の商品サンプルについては選択可能展示部に比べて明るさが弱い状態で電照する電照装置を具備しているものである。
【００１９】
商品サンプル展示部により選択可能商品展示部に展示されるグループとともに選択可能商品展示部に移動可能とする他のグループも展示させ、電照装置により主として選択可能商品展示部に展示されるグループの商品サンプルを明るく電照し、他の商品サンプルについては選択可能展示部に比べて明るさが弱い状態で電照することにより、ランプ数を低減し、コスト削減と節電を図る。
【００２０】
【発明の実施の形態】
以下、本発明の一実施の形態を図面を参照して説明する。
【００２１】
図１ないし図３に煙草などの商品を販売する自動販売機の第１の実施の形態を示す。
【００２２】
図１(a)は自動販売機の正面図、図１(b)は自動販売機の一部を切り欠いた側面図である。
【００２３】
図１において、１は機体で、この機体１は、本体２とこの本体２の前面開口を開閉可能とする扉体３とを有している。
【００２４】
本体２内には、この多種類の商品を種類別に収納するとともに商品を投出する商品収納投出装置４が配設されている。
【００２５】
扉体３の前面上部側には、ほぼ円形の開口部５が形成され、この開口部５に商品サンプル展示装置６が配設されている。この商品サンプル展示装置６は、開口部５を閉塞するカバー７、扉体３の後面に配設される展示部枠８およびこの展示部枠８に配設される商品サンプル保持手段９を有している。
【００２６】
カバー７の中央部には前方に湾曲突出する膨出部10が形成され、カバー７の周辺部には環状の透明板11が形成され、カバー７の背面の膨出部10と透明板11との境界部分には後方へ環状に突出する仕切板12が形成されている。なお、膨出部10は半透明あるいは非透明に形成され、仕切板12は選択可能商品展示部14に対応する領域が透明に形成されているとともに他の領域が透明、半透明または非透明のいずれかに形成されている。
【００２７】
透明板11の領域は商品サンプル展示部13として構成されているとともに、透明板11の下部の所定角度領域（本実施の形態では６０度の領域）は商品サンプル展示部13の一部を構成する選択可能商品展示部14として構成されている。透明板11の前面から扉体３の前面にわたって、選択可能商品展示部14の領域を区画する区画部材15が配設されている。
【００２８】
また、展示部枠８は、扉体３の裏面との間に商品サンプル保持手段９を収納する空間を形成して、後述する商品サンプルＳの入れ替えなどのために扉体３の裏面に対して開閉可能に配設されている。
【００２９】
また、商品サンプル保持手段９は、商品サンプルＳを保持する円板21およびこの円板21を所定角度ずつ回転させる円板回転手段22を有している。
【００３０】
円板21は、展示部枠８にベアリング23を介して軸支された回転軸24を中心として回転可能とし、商品サンプル展示部13に対応する表面周縁側の領域には、所定角度毎（本実施の形態では６０度毎）に１グループずつとして等分割して、多種類の商品サンプルＳを選択可能商品展示部14に展示可能とする複数のグループ毎に分けて保持する商品サンプル保持部25が形成されている。
【００３１】
各商品サンプル保持部25には、円板21の円周方向に２列でかつ各列の同じ位置に商品サンプルＳが保持され、各商品サンプルＳの外径側に隣接して例えばシールにて構成される価格表26が貼り付けられている。
【００３２】
円板回転手段22は、展示部枠８の後面に取り付けられたモータ27を有し、このモータ27の駆動軸にタイミングプーリ28が固着されるとともに、円板21の回転軸24にタイミングプーリ29が固着され、両タイミングプーリ28，29にタイミングベルト30が掛け回されている。円板21の裏面には各商品サンプル保持部25に対応して検知板31が取り付けられ、展示部枠８には検知板31を検知して円板21の回転位置を検知する位置検知センサ32が取り付けられている。検知板31と位置検知センサ32とで円板21の回転位置を検知する位置検知手段が構成されている。
【００３３】
また、選択可能商品展示部14には、円板21の円周方向に２列に保持される商品サンプルＳの各列の下側位置に対応してボタンユニット41が配設され、各ボタンユニット41には選択可能商品展示部14に展示される各商品サンプルＳの位置と対応して商品の購入選択を行なう選択ボタン42が配設されている。
【００３４】
選択可能商品展示部14の下側には、円板21を回転させて選択可能商品展示部14に展示される商品サンプル保持部25を入れ替え移動させることにより選択可能な商品サンプルＳを変更させる選択可能商品変更手段としての回転ボタン43が配設されている。回転ボタン43は、円板21を右回転させる右回転用と左回転させる左回転用の２つを有している。
【００３５】
また、カバー７の膨出部10と円板21との間でかつ選択可能商品展示部14に近接した位置に電照装置51が配設されている。この電照装置51は、ランプとして環形の蛍光灯52を用い、この蛍光灯52を交換可能に保持するホルダや蛍光灯52に接続されるランプソケットなどを有している。そして、電照装置51は、主として選択可能商品展示部14に展示される商品サンプル保持部25の商品サンプルＳを明るく電照し、商品サンプル展示部13の他の商品サンプル保持部25の商品サンプルＳについては選択可能商品展示部14に比べて明るさが弱い状態で電照する。
【００３６】
また、扉体３の選択可能商品展示部14の下方には、商品取出口61が開口形成され、この商品取出口61の裏面側には、商品取出口61を開閉する取出口扉62が内方へ回動可能に取り付けられているとともに、商品収納投出装置４から投出される商品を受け取る受取枠63が配設されている。
【００３７】
また、扉体３の選択可能商品展示部14の右側には、紙幣挿入口71および硬貨投入口72が配設されているとともに、投入金額を表示する金額表示部73が配設されている。金額表示部73などの下方には、釣銭が払い出される釣銭取出口74が配設されている。
【００３８】
図２は自動販売機の制御系のブロック図である。
【００３９】
図２において、81は自動販売機を制御する制御部で、この制御部81には、位置検知センサ32、複数の選択ボタン42、一対の回転ボタン43、商品収納投出装置４、モータ27、投入貨幣の識別計数および釣銭の払い出しを行なう貨幣処理部82が接続されている。
【００４０】
そして、制御部81は、いずれかの選択ボタン42が選択操作されたときにその選択ボタン42に対応する商品サンプルＳの商品を販売させる機能、待機時に所定のグループの商品サンプル保持部25を選択可能商品展示部14に展示させる機能を有している。
【００４１】
次に、制御部81による販売動作を図３のフローチャートを参照して説明する。
【００４２】
なお、「売れすじ商品」に対応する商品サンプルＳを所定のグループとして１つの商品サンプル保持部25にまとめて配置し、この所定の商品サンプル保持部25が選択可能商品展示部14にある位置が円板21の定位置として設定されている。
【００４３】
まず、円板21が定位置にあるか判断され（ステップ１）、円板21が定位置にない場合には、所定の商品サンプル保持部25が選択可能商品展示部14に位置するように円板21が定位置に回転される（ステップ２）。
【００４４】
円板21が定位置に位置する販売待機状態では、貨幣が投入されたか（ステップ３）、回転ボタン43が操作されたか（ステップ４）が判断される。
【００４５】
貨幣が投入された場合には、選択ボタン42が操作されたか（ステップ５）、回転ボタン43が操作されたかが判断される。
【００４６】
そして、購入者により「売れすじ商品」の商品を購入する場合、選択可能商品展示部14に位置する所定の商品サンプル保持部25に購入希望商品の商品サンプルＳがあるので、購入希望商品の商品サンプルＳに対応する選択ボタン42が操作される。
【００４７】
購入者により貨幣が投入されてから選択ボタン42が操作されると、その選択ボタン42に対応する商品サンプルＳの商品が商品収納投出装置４から投出されて販売される（ステップ６）。
【００４８】
また、購入者により「売れすじ商品」以外の商品を購入する場合、選択可能商品展示部14に位置する所定の商品サンプル保持部25に購入希望商品の商品サンプルＳがないので、回転ボタン43が操作されて購入希望商品の商品サンプルＳを有する商品サンプル保持部25が選択可能商品展示部14に移動された後、購入希望商品の商品サンプルＳに対応する選択ボタン42が操作される。
【００４９】
購入者により貨幣の投入後または投入前に回転ボタン43のいずれか一方が操作されると、操作された回転ボタン43に対応する方向に円板21が所定角度回転され（ステップ７）、選択可能商品展示部14に位置していた所定の商品サンプル保持部25が選択可能商品展示部14から外れるとともに、選択可能商品展示部14に隣接していた別の商品サンプル保持部25が選択可能商品展示部14に移動して入れ替えられる。このように円板21が所定角度ずつ順次回転されて、購入希望商品の商品サンプルＳを有する商品サンプル保持部25が選択可能商品展示部14に移動される。
【００５０】
購入希望商品の商品サンプルＳを有する商品サンプル保持部25が選択可能商品展示部14に移動された後、貨幣が投入されていることを条件に、購入者により選択ボタン42が操作されると、その選択ボタン42に対応する商品サンプルＳの商品が商品収納投出装置４から投出されて販売される。
【００５１】
また、商品を販売した後に選択ボタン42または回転ボタン43の操作がないまま所定時間経過すると、あるいは円板21の回転後に選択ボタン42の操作がないまま所定時間経過すると（ステップ８）、ステップ１へ進み、円板21が定位置から回転されている場合には円板21が定位置に復帰され、販売待機状態に戻る。
【００５２】
また、電照装置51により、主として選択可能商品展示部14に展示される商品サンプル保持部25の商品サンプルＳが明るく電照され、商品サンプル展示部13の他の商品サンプル保持部25の商品サンプルＳが選択可能商品展示部14に比べて明るさが弱い状態で電照される。
【００５３】
以上のように、多種類の商品サンプルＳを選択可能商品展示部14に展示可能とする複数のグループに分け、それら各グループを選択可能商品展示部14に対して移動可能に展示し、この選択可能商品展示部14に展示されるグループの商品サンプルＳを選択ボタン42で選択できるようにしたため、多種類の商品の販売が可能でありながら、選択ボタン42の数を低減できるとともに、少なくとも選択可能商品展示部14の商品サンプルＳを電照するだけで済むようにでき、コスト削減と節電を図れる。しかも、販売機会の多い売れすじ商品を同じグループ内に配置すれば、そのグループが選択可能商品展示部14に展示される機会がほとんどであるため、販売機会の多い売れすじ商品については従来と同様の購入操作性の良さが得られる。
【００５４】
また、所定のグループ以外のグループが選択可能商品展示部14に展示されて商品が購入された場合でも、待機時には所定のグループを選択可能商品展示部14に移動させて展示させるため、所定のグループに販売機会の多い売れすじ商品を配置しておくことにより、販売機会の多い売れすじ商品については従来と同様の購入操作性の良さが得られる。
【００５５】
また、商品サンプル展示部13により選択可能商品展示部14に展示されるグループとともに選択可能商品展示部14に移動可能とする他のグループも展示させ、電照装置51により主として選択可能商品展示部14に展示されるグループの商品サンプルＳを電照するため、蛍光灯52の数を従来に比べて１／５〜１／６に低減でき、コスト削減と節電を図れる。
【００５６】
また、円板21の所定角度毎に１グループずつの商品サンプルＳを保持し、この円板21の回転によって各グループを選択可能商品展示部14に移動させることができ、しかも、商品サンプルＳが保持された円板21が回転する態様から自動販売機としての商品性を向上できる。
【００５７】
次に、図４に第２の実施の形態を示す。
【００５８】
なお、第１の実施の形態と同様の構造および作用効果については、同一符号を用いてその説明を省略する。
【００５９】
扉体３の前面上部側には、四角形の開口部５が形成され、この開口部５に商品サンプル展示装置６が配設されている。
【００６０】
商品サンプル展示装置６のカバー７は、透明板にて構成され、この透明板の全領域が商品サンプル展示部13として構成されているとともに、透明板11の下縁に沿った一部領域が選択可能商品展示部14として構成されている。この選択可能商品展示部14の領域には、選択可能商品展示部14の領域を区画する区画部材15が配設されている。
【００６１】
また、商品サンプル展示装置６の商品サンプル保持手段９は、商品サンプルＳを保持する無端状の帯状体101、およびこの帯状体101を所定範囲ずつ回動させる帯状体回動手段102を有している。
【００６２】
帯状体101は、透光性および可撓性を有する布材やビニール材などで無端状に形成され、展示部枠８に回転自在に軸支された上下の回転ローラ103，104にわたって掛け回されている。帯状体101を回動方向の所定範囲毎に１グループずつとして等分割して、多種類の商品サンプルＳを選択可能商品展示部14に展示可能とする複数のグループ毎に分けて保持する商品サンプル保持部105が形成されている。
【００６３】
各商品サンプル保持部105には、帯状体101の回動方向に複数列で各列の同じ位置に商品サンプルＳが保持され、各商品サンプルＳの下側に隣接して例えばシールにて構成される価格表26が貼り付けられている。
【００６４】
帯状体回転手段102は、モータ106を有し、このモータ106の駆動軸に固着されたタイミングプーリと下側の回転ローラ104に固着されたタイミングプーリとにタイミングベルト107が掛け回されている。なお、図示しないが、帯状体101の回動位置を検知する位置検知センサを有する位置検知手段を備えている。
【００６５】
また、選択可能商品展示部14には、帯状体101の商品サンプルＳの各列の下側位置に対応してボタンユニット41が配設され、各ボタンユニット41には選択可能商品展示部14に展示される各商品サンプルＳの位置と対応して商品の購入選択を行なう選択ボタン42が配設されている。
【００６６】
選択可能商品展示部14の右側には、帯状体101を回転させて選択可能商品展示部14に展示される商品サンプル保持部105を入れ替え移動させることにより選択可能な商品サンプルＳを変更させる回転ボタン43が配設されている。回転ボタン43は、帯状体101を上方回転させる上方回転用と下方回転させる下方回転用の２つを有している。
【００６７】
また、帯状体101の内側でかつ選択可能商品展示部14の後方に沿ってほぼ水平に電照装置51が配設されている。この電照装置51は、ランプとして直管形の蛍光灯52を用い、この蛍光灯52を交換可能に保持するホルダや蛍光灯52に接続されるランプソケットなどを有している。そして、電照装置51では、蛍光灯52の光が帯状体101を透過し、主として選択可能商品展示部14の近傍を明るく電照し、すなわち、主として選択可能商品展示部14に展示される商品サンプル保持部25の商品サンプルＳを明るく電照し、商品サンプル展示部13の他の商品サンプル保持部25の商品サンプルＳについては選択可能商品展示部14に比べて明るさが弱い状態で電照する。
【００６８】
そして、この第２の実施の形態の自動販売機においても、第１の実施の形態の図２に示されるブロック図と同様の構成を有するとともに、第１の実施の形態の図３に示されるフローチャートと同様に制御部81によって制御を行なう。これにより、第１の実施の形態と同様の作用効果を奏する。
【００６９】
帯状体101の複数の商品サンプル保持部105のうち、カバー７に臨む前面領域の商品サンプル保持部105の商品サンプルＳのみが商品サンプル展示部13に展示される。
【００７０】
回転ボタン43の操作により、帯状体101が回転されると、帯状体101の前面領域の上端または下端に位置していた１つの商品サンプル保持部105が後面領域に回り込み、帯状体101の後面領域の下端または上端に位置していた１つの商品サンプル保持部105が前面領域に回り込んで展示される。
【００７１】
「売れすじ商品」に対応する商品サンプルＳを所定のグループとして１つの商品サンプル保持部105にまとめて配置し、この所定の商品サンプル保持部105が選択可能商品展示部14にある位置が帯状体101の定位置として設定しておくことにより、帯状体101が回動された場合でも所定時間経過したら定位置に復帰させることができる。
【００７２】
帯状体101の複数の商品サンプル保持部105のうち、対称位置に位置する商品サンプル保持部105に同じ種類の商品サンプルＳを保持するようにすることにより、帯状体101の回動によって１つの商品サンプル保持部105が帯状体101の後面領域に回り込んだ場合でも同じ種類の商品サンプルＳを保持した商品サンプル保持部105が帯状体101の前面領域に現れるようにする。特に、少なくとも「売れすじ商品」の商品サンプル保持部105については帯状体101の対称位置に位置させるようにする。これにより、帯状体101のどの回動位置においても、少なくとも「売れすじ商品」の商品サンプル保持部105が前面領域に位置して展示されるため、購入者が売れすじ商品を販売していないと勘違いして販売機会を逃すようなことがない。
【００７３】
このように、帯状体101の回動方向の所定範囲毎に１グループの商品サンプルＳを保持し、この帯状体101の回動によって各グループを選択可能商品展示部14に移動させることができ、しかも、多種類の商品の販売が可能でありながら自動販売機を小形に構成できる。
【００７４】
【発明の効果】
請求項１記載の自動販売機によれば、多種類の商品サンプルを選択可能商品展示部に展示可能とする複数のグループに分け、それら各グループを選択可能商品展示部に対して移動可能に展示し、この選択可能商品展示部に展示されるグループの商品サンプルを選択ボタンで選択できるようにしたため、多種類の商品の販売が可能でありながら、選択ボタンの数を低減できるとともに、少なくとも選択可能商品展示部の商品サンプルを電照するだけで済むようにでき、コスト削減と節電を図れる。しかも、販売機会の多い売れすじ商品を同じグループ内に配置すれば、そのグループが選択可能商品展示部に展示される機会がほとんどであるため、販売機会の多い売れすじ商品については従来と同様の購入操作性の良さが得られる。また、円板の所定角度毎に１グループずつの商品サンプルを保持し、この円板の回転によって各グループを選択可能商品展示部に移動させることができ、しかも、商品サンプルが保持された円板が回転する態様から自動販売機としての商品性を向上できる。
【００７５】
請求項２記載の自動販売機によれば、多種類の商品サンプルを選択可能商品展示部に展示可能とする複数のグループに分け、それら各グループを選択可能商品展示部に対して移動可能に展示し、この選択可能商品展示部に展示されるグループの商品サンプルを選択ボタンで選択できるようにしたため、多種類の商品の販売が可能でありながら、選択ボタンの数を低減できるとともに、少なくとも選択可能商品展示部の商品サンプルを電照するだけで済むようにでき、コスト削減と節電を図れる。しかも、販売機会の多い売れすじ商品を同じグループ内に配置すれば、そのグループが選択可能商品展示部に展示される機会がほとんどであるため、販売機会の多い売れすじ商品については従来と同様の購入操作性の良さが得られる。また、帯状体の回動方向の所定範囲毎に１グループの商品サンプルを保持し、この帯状体の回動によって各グループを選択可能商品展示部に移動させることができ、しかも、多種類の商品の販売が可能でありながら自動販売機を小形に構成できる。
【００７６】
請求項３記載の自動販売機によれば、請求項１記載の自動販売機の効果に加えて、待機時に円板の回転位置が定位置にあるか判断し、定位置にない場合には、所定のグループの商品サンプル保持部が選択可能商品展示部に位置するように円板を回転させることができる。
【００７７】
請求項４記載の自動販売機によれば、請求項１ないし３いずれか記載の自動販売機の効果に加えて、商品サンプル展示部により選択可能商品展示部に展示されるグループとともに選択可能商品展示部に移動可能とする他のグループも展示させ、電照装置により主として選択可能商品展示部に展示されるグループの商品サンプルを明るく電照し、他の商品サンプルについては選択可能展示部に比べて明るさが弱い状態で電照するため、ランプ数を低減でき、コスト削減と節電を図れる。
【図面の簡単な説明】
【図１】  本発明の第１の実施の形態を示し、(a)は自動販売機の正面図、(b)は自動販売機の一部を切り欠いた側面図である。
【図２】  同上自動販売機の制御系のブロック図である。
【図３】  同上自動販売機の商品販売動作のフローチャートである。
【図４】  本発明の第２の実施の形態を示し、(a)は自動販売機の正面図、(b)は自動販売機の一部を切り欠いた側面図である。
【符号の説明】
13    商品サンプル展示部
14    選択可能商品展示部
15 区画部材
21    円板
22    円板回転手段
25    商品サンプル保持部
42    選択ボタン
43    選択可能商品変更手段としての回転ボタン
51    電照装置
81    制御部
101   帯状体
102   帯状体回動手段
105   商品サンプル保持部
Ｓ    商品サンプル
【図１】
0004216913.tif 000002
【図２】
0004216913.tif 000003
【図３】
0004216913.tif 000004
【図４】
0004216913.tif 000005